(57)【要約】【課題】  食器の大きさかかわらず使用でき、洗浄液が確実に食器の間に噴射されるように食器を内部に整列させることができる食器籠を提供する。【解決手段】  食器籠において、籠枠１に収容された食器Ｄを整列させる支持部材２が取付けられている。支持部材２は、食器Ｄの整列方向に配設され食器Ｄの外縁を共通に規制する棒形に形成されている。支持部材２と籠枠１との間には、支持部材２の取付け位置を調整する取付調整機構３が設けられている。支持部材２には、食器Ｄの整列の長さを規制する整列長さ規制部材４が取付けられている。【選択図】図１
2010172431.tif 000002
【特許請求の範囲】
【請求項１】
食器を収容する籠枠と、前記籠枠に取付けられ前記食器を整列させる支持部材とを有する食器籠において、
前記支持部材は、前記食器の整列方向に配設され各食器の外縁を共通に規制する棒形に形成され、
前記支持部材と前記籠枠との間に該支持部材の取付け位置を調整する取付調整機構を備え、前記支持部材には食器の整列の長さを規制する整列長さ規制部材が装着されていることを特徴とする食器籠。
【請求項２】
前記取付調整機構は、前記支持部材の端部が挿通される長孔を有して前記籠枠に固定された取付座と、該取付座に前記支持部材の端部を締付け固定する締付具とを備えていることを特徴とする請求項１に記載の食器籠。
【請求項３】
前記整列長さ規制部材は、前記支持部材に沿ってスライド可能であることを特徴とする請求項１または２に記載の食器籠。
【請求項４】
前記整列長さ規制部材は、前記食器の中心方向へ向けて傾斜した傾斜板を備えていることを特徴とする請求項１〜３のいずれかに記載の食器籠。
【発明の詳細な説明】
【技術分野】
【０００１】
本発明は、食器を整列させて搬送しながら洗浄する際の使用に好適な食器籠に関する。
【背景技術】
【０００２】
最近、給食センタ等では、大量の食器の取扱いの効率化を図るために、回収した食器を食事の盛付けまで食器籠に収容したまま運搬，洗浄，消毒，保管等の作業を実施することが行われている。特に、洗浄作業では、食器を食器籠の内部で整列させて噴射される洗浄液の中を通過させることが行われるようになってきている。このため、洗浄液が確実に各食器の間に噴射されるように食器を食器籠の内部で整列させる技術の開発が要望されている。
【０００３】
従来、洗浄液が確実に食器の間に噴射されるように食器を食器籠の内部で整列させることを指向した技術としては、例えば、以下に記載のものが知られている。
【先行技術文献】
【特許文献】
【０００４】
【特許文献１】特開２００７−２５２７２９号公報
【０００５】
特許文献１には、食器が収容される籠枠の内部に食器を整列させる支持部材が取付けられ、支持部材が各食器ごとの外縁と前後とを規制する構造で食器の整列方向へスライド可能とされた食器籠が記載されている。
【０００６】
特許文献１に係る食器籠は、食器を整列させる支持部材が洗浄液の噴射の圧力で食器を介してスライドすることで、各食器の間に間隔を可動的に形成して洗浄液が確実に各食器の間に噴射されるようにしたものである。
【発明の概要】
【発明が解決しようとする課題】
【０００７】
特許文献１に係る食器籠では、支持部材が各食器ごとの外縁と前後とを規制する構造であることから、食器の大きさが変更された場合には食器が規制されなくなることがあるため、新たに少なくとも支持部材を製造しなければならなくなるという問題点がある。
【０００８】
本発明は、このような問題点を考慮してなされたもので、食器の大きさにかかわらず、洗浄液が確実に食器の間に噴射されるように食器を内部に整列させることのできる食器籠を提供することを課題とする。
【課題を解決するための手段】
【０００９】
前述の課題を解決するため、本発明に係る食器籠は、特許請求の範囲の各請求項に記載の手段を採用する。
【００１０】
即ち、本発明に係る食器籠は、食器を収容する籠枠と、前記籠枠に取付けられ前記食器を整列させる支持部材とを有する食器籠において、前記支持部材は、前記食器の整列方向に配設され各食器の外縁を共通に規制する棒形に形成され、前記支持部材と前記籠枠との間に該支持部材の取付け位置を調整する取付調整機構を備え、前記支持部材には食器の整列の長さを規制する整列長さ規制部材が装着されていることを特徴とする。
【００１１】
この手段では、支持部材が食器の外縁を共通に規制する棒形で取付け位置の調整が可能な取付調整機構を介して籠枠に取付けられることで、食器の大きさに対応して支持部材の籠枠への取付け位置を変更することができる。また、整列長さ規制部材を食器の整列に余裕をもたせて支持部材に取付けることで、洗浄液の噴射の圧力で各食器をスライドさせることができる。
【００１２】
また、本発明に係る食器籠において、取付調整機構は支持部材の端部が挿通される長孔を有して籠枠に固定された取付座と支持部材の端部を取付座に締付け固定する締付具とからなることを特徴とする。
【００１３】
この手段では、取付調整機構として構造簡素な締付構造が選択される。
【００１４】
また、本発明に係る食器籠において、整列長さ規制部材は支持部材に沿ってスライド可能であることを特徴とする。
【００１５】
この手段では、整列長さ規制部材をスライドさせて支持部材への取付け位置を選択することができる。
【００１６】
また、本発明に係る食器籠において、整列長さ規制部材は食器の中心方向へ向けて傾斜した傾斜板を備えていることを特徴とする。
【００１７】
この手段では、整列長さ規制部材の傾斜板が噴射された洗浄液を整列の先頭の食器に向けて反射させる。
【発明の効果】
【００１８】
本発明に係る食器籠は、支持部材が食器の外縁を共通に規制する棒形で取付け位置の調整が可能な取付調整機構を介して籠枠に取付けられることで、食器の大きさに対応して支持部材の籠枠への取付け位置を変更することができるため、食器の大きさにかかわらず使用することができる効果がある。また、整列長さ規制部材を食器の整列に余裕をもたせて支持部材に取付けることで、洗浄液の噴射の圧力で各食器をスライドさせることができるため、洗浄液が確実に食器の間に噴射されるように食器を内部に整列させることができる効果がある。
【図面の簡単な説明】
【００１９】
【図１】本発明に係る食器籠の構成を示す斜視図である。
【図２】図１に示す食器籠の一部の動作状態図である。
【図３】図１に示す食器籠の上から見た図である（一部拡大断面図を含む）。
【図４】図１に示す食器籠の正面図である（一部切除，取外しの拡大図を含む）。
【図５】図１に示す食器籠の要部分解状態の拡大図である。
【図６】本発明に係る食器籠の洗浄作業時に使用された状態を示す側面図である。
【発明を実施するための形態】
【００２０】
以下、本発明に係る食器籠を実施するための形態を図面に基づいて説明する。
【００２１】
この形態では、どんぶり形の食器Ｄを２列に収容するものを示してある。図１は、本発明に係る食器籠の構成を示す斜視図である。図１において、食器籠に食器Ｄを収容した状態を示している。図２は、図１に示す食器籠の一部の動作状態図である。図２において、食器籠の扉１２が開いた状態を示している。図３は、図１に示す食器籠の上から見た図である（一部拡大断面図を含む）。一部拡大断面図において、支持部材２および取付調整機構３の細部を示している。図４は、図１に示す食器籠の正面図である（一部切除，取外しの拡大図を含む）。図４中の拡大図において、支持部材２の端部および取付調整機構３の細部を示している。図５は、図１に示す食器籠の要部分解状態の拡大図である。図５において、整列長さ規制部材４の細部を示している。
【００２２】
図１〜４に示すように、本発明に係る食器籠は、耐腐食性のあるステンレス材を主材として形成された籠枠１と、支持部材２と、取付調整機構３と、整列長さ規制部材４とを備えている。
【００２３】
籠枠１は、箱形の本体部１１と扉１２とを備え、棒材を組んで食器Ｄを収容する空間を囲む外装を形成したものである。箱形の本体部１１の前面部に観音開きの扉１２が設けられ、箱形の上部の両端部に手持ち用の取手１３が設けられ、箱形の上部の中央部に閉鎖された扉１２をロックするロック部１４が設けられている。また、扉１２は、棒材で枠を形成した所定厚さを有する立方体形のものである。また、取手１３は、コイルのような部材を本体部１１の上部の両端部の棒材に装着して構成される。なお、扉１２は、構造の簡素化を図るために別部材のヒンジを使用せず、棒材の端部を湾曲させて本体部１１の前面両側の縦の棒材に巻付けた簡易ヒンジで回動されるようになっている。
【００２４】
支持部材２は、食器Ｄの外縁を共通に規制するもので、籠枠１の上下方向（扉１２と平行になる方向に）に延びた棒形に形成されている。この支持部材２は、食器Ｄの整列の１列について４本が配設され、２本が取付調整機構３を介して籠枠１の本体部１１に取付けられ、残る２本が取付調整機構３を介して籠枠１の扉１２に取付けられている。支持部材２は、取付調整機構３によって前後方向に調整可能である。なお、支持部材２は、本体部分２１が平滑な表面の丸棒形に形成され両端部にネジ部２２が刻設されている（図４参照）。
【００２５】
取付調整機構３は、支持部材２を籠枠１に取付けるもので、籠枠１の本体部１１，扉１２に溶接等で固定された小片形の取付座３１と、取付座３１に穿孔された長孔３２と、支持部材２が嵌挿されるワッシャ３３と、支持部材２のネジ部２２に螺合される締付具である袋形のナット３４とを備えている。この例において、取付座３１は、金属製長方形板で、中央部において長さ方向に長孔３２が設けられている。長孔３２の幅は、支持部材２の端部が自在に挿通可能である。また、長孔３２の長さは、支持部材２の調整範囲に関連するので、必要に応じて適宜に設定される。また、取付調整機構３は、食器Ｄの整列の１列について、籠枠１の本体部１１側の上下にそれぞれ２つが設けられ、また扉１２側の上下にそれぞれ２つが設けられる。
【００２６】
整列長さ規制部材４は、食器の整列の長さを規制するもので、図５に詳細に示されるように、整列の先頭の食器を押す箱形のプッシャ４１と、籠枠１の本体部１１に取付けられた２本の支持部材２を挟み込む挟持部４２と、を備えている。
【００２７】
プッシャ４１は、箱形の本体部４１ａの食器Ｄに当接する面にゴム材，合成樹脂材等の緩衝材４１ｂが取付けられ、籠枠１の扉１２側の側面が食器Ｄの中心に向けて傾斜した傾斜板４１ｃとされている。
【００２８】
挟持部４２は、プッシャ４１の傾斜板４１ｃと相対する側面の外側に固定され板形の一方の挟持片４２ａと、一方の挟持片４２ａに刻設され支持部材２の本体部分２１に対する滑止めとなる溝４２ｂと、プッシャ４１の傾斜板４１ｃと相対する側面と一方の挟持片４２ａとを貫通して外側に突出したボルト４２ｃと、一方の挟持片４２ａに相対する他方の挟持片４２ｄと、他方の挟持片４２ｄに刻設され支持部材２の本体部分２１に対する滑止めとなる溝４２ｅと、ボルト４２ｃに螺合され挟持片４２ａ，４２ｄを締付けるハンドル付きのナット４２ｆと、を備えている。
【００２９】
この形態を使用するには、図２に示すように、籠枠１の扉１２を開放し整列長さ規制部材４を最も上部に仮止めしておき、籠枠１の本体部１１の内部に食器Ｄを積上げる。このとき、支持部材２の２本が籠枠１の開放された扉１２にあるため、食器Ｄの積上げに何等支障はない。
【００３０】
この後、籠枠１の扉１２を閉鎖してロック部１４でロックし、整列長さ規制部材４を積上げの高さよりも少し上方の位置に本固定する。整列長さ規制部材４は、ナット４２ｆを回転させて挟持片４２ａ，４２ｄによる支持部材２の本体部分２１の挟持を緩めることにより、支持部材２に沿ったスライドが可能になる。従って、整列長さ規制部材４の仮止めの位置から本固定の位置までの移動は容易である。また、整列長さ規制部材４の本固定では、ナット４２ｆを回転させて挟持片４２ａ，４２ｄによる支持部材２の本体部分２１の挟持を強くすればよい。
【００３１】
この結果、籠枠１に収容された食器Ｄは、図１に示すように、外縁を共通の４本の支持部材２で規制されて整列され、また、整列の長さ方向に少しの余裕が確保されることになる。
【００３２】
食器Ｄが収容された籠枠１は、図６に示すように、扉１２を上方にした状態でコンベア等の搬送機構で搬送される。そして、食器Ｄは、上方から洗浄液Ｗの噴射を受けることになる。
【００３３】
上方から噴射された洗浄液Ｗは、整列長さ規制部材４のプッシャ４１の傾斜板４１ｃに衝突して整列の先頭の食器Ｄの内部に反射される。従って、整列の先頭の食器Ｄが確実に洗浄される。なお、後続の食器Ｄについては、整列の前側の食器Ｄの背面が同様の機能を奏することになる。
【００３４】
噴射された洗浄水Ｗを受けた食器Ｄは、支持部材２の規制によって整列を乱すことがないが、整列長さ規制部材４によって整列の長さ方向に少しの余裕が確保されているため、少しスライドして整列の前側の食器Ｄとの間に少しの間隔を形成する。従って、食器Ｄの間に確実に洗浄液Ｗが噴射される。
【００３５】
籠枠１に大きさの異なる食器Ｄを収容する際には、整列長さ規制部材４のナット４２ｆを緩めてから取付調整機構３のナット３４を緩めて、支持部材２の端部を取付調整機構３の長孔３２の内部で移動させる。そして、食器Ｄの大きさに対応した位置で取付調整機構３のナット３４を締付ける。従って、簡単な操作で大きさの異なる食器Ｄを収容することができる。
【００３６】
〔その他の実施形態〕
本発明は、上記の実施形態に限定されるものでなく、特許請求の範囲に記載された発明の要旨を逸脱しない範囲内での種々、設計変更した形態を技術的範囲に含まれるものである。
例えば、図示した形態の外に、取付調整機構３をクランプ構造のワンタッチ操作可能なものとすることも可能である。
【符号の説明】
【００３７】
１      籠枠
２      支持部材
３      取付調整機構
３１    取付座
３２    長孔
３３    ワッシャ  
３４    ナット（締付具）
４      整列長さ規制部材
４１    プッシャ
４１ａ  箱形の本体部
４１ｂ  緩衝材
４１ｃ  傾斜板
４２    挟持部
４２ａ，４２ｄ  挟持片
４２ｂ，４２ｅ  溝
４２ｃ  ボルト
４２ｆ  ナット
Ｗ      洗浄液
Ｄ      食器
【図１】
2010172431.tif 000003
【図２】
2010172431.tif 000004
【図３】
2010172431.tif 000005
【図４】
2010172431.tif 000006
【図５】
2010172431.tif 000007
【図６】
2010172431.tif 000008